(57)【要約】【課題】動画画像を記録する際には、被検眼と眼底カメラとの作動距離を正確に調整可能とし、記録した動画画像の読影時には、全ての眼底部位を確認可能とする。【解決手段】観察画像Ａ１〜Ａ５のような指標像Ｐａ’、Ｐｂ’を含む観察画像が記録されていると、再生画像Ｂ１〜Ｂ５において、指標像Ｐａ’、Ｐｂ’を表示しない観察画像Ａ２、Ａ４は再生画像Ｂ２、Ｂ４とし、指標像Ｐａ’、Ｐｂ’を表示する観察画像Ａ１、Ａ３、Ａ５に対応する再生画像Ｂ１、Ｂ３、Ｂ５はその直前の指標像Ｐａ’、Ｐｂ’を表示しない再生画像・・・、Ｂ２、Ｂ４を使用して補完する。観察時には観察画像Ａ１〜Ａ５による指標像Ｐａ’、Ｐｂ’により作動距離の調整が可能であり、再生時には指標像Ｐａ’、Ｐｂ’が表示されていない再生画像を表示することが可能となり、読影の際にアライメント指標が眼底像に重なって、所望の眼底部位を確認できないという不具合が生じない。【選択図】図３
2010259530.tif 000002
【特許請求の範囲】
【請求項１】
被検眼の眼底に照明光を照射する照射手段と、被検眼に指標光束を投影する投影手段と、被検眼で反射した前記指標光束の指標像を眼底像と共に撮像する撮像手段と、該撮像手段の出力を動画記録が可能な画像記録手段を有する眼科撮影装置において、前記投影手段は前記撮像手段の画像信号に同期して間欠的に前記指標を投影することを特徴とする眼科撮影装置。
【請求項２】
前記投影手段による前記指標光束の投影期間を変更し得るようにしたことを特徴とする請求項１に記載の眼科撮影装置。
【請求項３】
前記投影手段による前記指標光束の投影周期を変更し得るようにしたことを特徴とする請求項１に記載の眼科撮影装置。
【請求項４】
前記投影手段による前記指標光束の投影状態を前記画像信号と関連して記録する投影状態記録手段を有することを特徴とする請求項２又は３に記載の眼科撮影装置。
【請求項５】
前記画像記録手段により記録された動画を再生する動画再生手段を有し、該動画再生手段は前記投影状態記録手段に記録された投影状態に基づいて、前記指標光束が投影されていない画像のみを再生することを特徴とする請求項４に記載の眼科撮影装置。
【請求項６】
前記画像記録手段により記録された動画を再生する動画再生手段を有し、該動画再生手段は前記投影状態記録手段に記録された投影状態に基づいて、前記指標光束が投影された画像に対応するタイミングの画像は、前記指標光束が投影されていない直前の画像を用いて再生することを特徴とする請求項４に記載の眼科撮影装置。
【請求項７】
前記動画再生手段は前記指標光束が投影された画像も含めた画像を再生することを特徴とする請求項５又は６に記載の眼科撮影装置。
【発明の詳細な説明】
【技術分野】
【０００１】
本発明は、例えば眼科医院や集団健診等で用いられ、被検眼を観察しながら画像記録を行う眼科撮影装置に関するものである。
【背景技術】
【０００２】
眼科撮影装置として、被検眼の眼底撮影を行う眼底カメラが広く知られている。また眼底カメラにおいては、被検眼の観察を行い、検査目的に合わせた撮影を行うためのカラー撮影、ＦＡＧ（可視蛍光撮影）やＩＣＧ（近赤外蛍光撮影）等の複数の撮影モードを有する装置が知られている。
【０００３】
眼底カメラによる撮影においては、被検眼と眼底カメラとの作動距離を微妙に調整する必要が生ずるため、被検眼にアライメント指標を投影し、その指標像を用いてアライメント調整が行われている。特許文献１においては、このアライメント指標とフレアとを区別するために、被検眼に複数のアライメント指標を投影し、それらの指標を異なる明るさとしたり、異なる周期や位相で点滅させたりしている。
【０００４】
ＦＡＧやＩＣＧ等の蛍光撮影は、眼底血管の血液の循環状態を調査することによって、眼底の病変部を発見することに利用されている。一般に、蛍光撮影においては、蛍光剤を静注後に蛍光剤が眼底血管に到達するまでの数秒〜数１０秒間は蛍光眼底像を観察することはできない。そのため、被検眼と眼底カメラとの作動距離の調整は、アライメント指標を用いている。
【０００５】
また蛍光撮影においては、蛍光剤の静注後の動画を記録し、記録した動画によって読影を行う診断方法が有効な手段となっている。しかし、この診断方法には動画に記録されたアライメント指標が眼底像に重なり、所望の眼底部位を確認できないという不都合がある。
【０００６】
上述の課題を解決するため、特許文献２においては、静注後の蛍光剤が眼底血管に達するまでの所定時間のみアライメント指標を投影し、所定時間経過後にアライメント指標を消灯又は減光する眼科撮影装置が開示されている。
【先行技術文献】
【特許文献】
【０００７】
【特許文献１】特開平９−１３１３１６号公報
【特許文献２】特許第３３８６２５８号公報
【発明の概要】
【発明が解決しようとする課題】
【０００８】
しかし、特許文献２の眼科撮影装置においては、アライメント指標を用いた被検眼と眼底カメラとの作動距離の調整が満足にできないという不具合を有している。更に、蛍光眼底像の観察が可能となるタイミングが、アライメント指標投影時間とずれてしまうことにより、蛍光眼底像が観察可能となったときにアライメント指標が写り込んでしまう虞れもある。
【０００９】
本発明の目的は、動画画像を記録する際に、被検眼と眼底カメラとの作動距離をアライメント指標により正確に調整可能とし、動画画像の読影時には、アライメント指標に妨げられることがなく所望の眼底部位を確認可能な眼科撮影装置を提供することにある。
【課題を解決するための手段】
【００１０】
上記目的を達成するための本発明に係る眼科撮影装置は、被検眼の眼底に照明光を照射する照射手段と、被検眼に指標光束を投影する投影手段と、被検眼で反射した前記指標光束の指標像を眼底像と共に撮像する撮像手段と、該撮像手段の出力を動画記録が可能な画像記録手段を有する眼科撮影装置において、前記投影手段は前記撮像手段の画像信号に同期して間欠的に前記指標を投影することを特徴とする。
【発明の効果】
【００１１】
本発明に係る眼科撮影装置によれば、撮像手段の蓄積開始信号に同期して間欠的にアライメント指標を投影することにより、被検眼との作動距離が調整可能であり、記録した動画画像を再生する際に全ての眼底部位を視認可能となる。
【図面の簡単な説明】
【００１２】
【図１】実施例１の眼科撮影装置の構成図である。
【図２】観察画像の説明図である。
【図３】タイミングチャート図である。
【図４】実施例２のタイミングチャート図である。
【図５】実施例３のタイミングチャート図である。
【発明を実施するための形態】
【００１３】
本発明を図示の実施例に基づいて詳細に説明する。
【実施例１】
【００１４】
図１は眼科撮影装置である眼底カメラの構成図を示している。観察用光源１から被検眼Ｅの前方に位置する対物レンズ２に至る光路Ｏ１上には、観察用光源１、コンデンサレンズ３、撮影用光源４、ミラー５が配列されている。また、ミラー５の反射方向には、リング状の開口を有する絞り６、光路に挿脱自在なＦＡＧエキサイタフィルタ７、リレーレンズ８、孔あきミラー９が順次に配列され、眼底照明光学系が構成されている。
【００１５】
孔あきミラー９の背後の光路Ｏ２上には、合焦レンズ１０、撮影レンズ１１、光路に挿脱可能で蛍光のみを透過するＦＡＧバリアフィルタ１２、ＣＣＤ等から成る撮像素子１３が順次に配列され、眼底撮影光学系が構成されている。
【００１６】
また、孔あきミラー９の孔部の近傍の光路Ｏ２から左右方向にずれた位置には、指標光束を導くライトガイド１４ａの出射端が配置され、このライトガイド１４ａの入射端には、アライメント指標を点灯するためのＬＥＤ光源１５ａが接続されている。ライトガイド１４ａの出射端の光路Ｏ２に対して対称な位置には、図示しないライトガイド１４ｂの出射端が配置され、ライトガイド１４ｂの入射端にはＬＥＤ光源１５ａと同様の波長を有する図示しないＬＥＤ光源１５ｂが接続されている。ＬＥＤ光源１５ａ、１５ｂが発光する光は、ＦＡＧバリアフィルタ１２を透過する波長とされ、これらによりアライメント用指標投影光学系が構成されている。
【００１７】
撮像素子１３の出力は蓄積電荷読取部１６、画像信号処理部１７を介して、眼底カメラ全体を制御するシステム制御部１８に接続されている。また、蓄積電荷読取部１６は電荷の畜積タイミングを検出するために指標制御部１９に接続されている。更に、画像信号処理部１７には撮像された画像を表示する表示部２０、操作スイッチ部２１及び動画記録可能な画像記録部２２が接続されている。ＬＥＤ光源１５ａ、１５ｂはアライメント指標Ｐａ、Ｐｂの点滅制御を行うために、指標制御部１９を介してシステム制御部１８に接続されている。
【００１８】
眼底観察時において、観察用光源１を出射した照明光は、コンデンサレンズ３、撮影用光源４を通過しミラー５で反射される。ミラー５で反射された反射光は、絞り６、ＦＡＧエキサイタフィルタ７、リレーレンズ８を通過し、孔あきミラー９の周辺部で反射され、対物レンズ２を介して、被検眼Ｅの眼底Ｅｒを照射する。眼底Ｅｒの反射光は、対物レンズ２、孔あきミラー９の孔部、合焦レンズ１０、撮影レンズ１１を通過し、撮像素子１３の撮像面上に結像する。この観察時に、ＦＡＧバリアフィルタ１２は眼底撮影光学系から離脱しているため、ＦＡＧエキサイタフィルタ７を透過した波長光による眼底Ｅｒの反射光が眼底像として観察される。
【００１９】
ライトガイド１４ａ、１４ｂの出射端から出射するＬＥＤ光源１５ａ、１５ｂからの指標光束は、アライメント指標Ｐａ、Ｐｂとして対物レンズ２を介して被検眼Ｅに投影される。被検眼Ｅと眼底カメラとの作動距離が適正な場合には、被検眼Ｅの角膜面で反射された指標光束の反射像は平行光となり、照明光束の眼底反射光と同じ光路を経て撮像素子１３の撮像面上に、それぞれ指標像を形成する。
【００２０】
蓄積電荷読取部１６は撮像素子１３の光電変換後の蓄積電荷を保持し、蓄積電荷の読み取り、及び保持された電荷のクリアを連続的に行いながら信号を読み取り、画像信号処理部１７に出力する。また、システム制御部１８からの制御により、画像信号処理部１７は観察モードの場合に、観察モード処理を行う。即ち、観察時には撮像素子１３の蓄積電荷による眼底像に、画像信号処理部１７により被検眼Ｅと眼底カメラとの作動距離の指針となるアライメントマークＭを電子的に付加する処理を行い、観察画像を表示部２０に出力する。
【００２１】
図２に示すように眼底観察時には、観察用光源１により照明された眼底像Ｅｒ’、アライメントマークＭ、アライメント指標Ｐａ、Ｐｂによる角膜面でのアライメント指標像Ｐａ’、Ｐｂ’が表示部２０に表示される。操作者は図１に示す眼底カメラの光学部全体を移動可能なステージ部を操作することにより、指標像Ｐａ’、Ｐｂ’がアライメントマークＭに合致するようにして、被検眼Ｅと眼底カメラとの作動距離の調整をする。
【００２２】
操作者はこの際に、合焦レンズ１０を操作し、眼底Ｅｒに投影した図示しないフォーカス指標の反射光を用いてフォーカス調整を行う。フォーカス指標光源を指標制御部１９に接続することにより、アライメント用指標Ｐａ、Ｐｂと同様な点滅制御を行うように構成可能であるが、本実施例では、フォーカス指標の説明は省略する。
【００２３】
図３は実施例１のアライメント時の制御のタイミングチャート図を示している。同期信号Ｓａは蓄積電荷読取部１６における蓄積電荷のクリアを行うタイミングを示し、例えば３０Ｈｚの周期で繰り返されている。このように、蓄積電荷読取部１６においては、蓄積電荷の読み取りと電荷のクリアを行っており、この同期信号Ｓａは撮像素子１３上で電荷を蓄積する期間を表す蓄積開始信号でもある。また、点滅信号Ｓｂは指標制御部１９により同期信号Ｓａに同期して生成され、ＬＥＤ光源１５ａ、１５ｂの点滅制御を行う。点滅信号Ｓｂがオンの時にＬＥＤ光源１５ａ、１５ｂが点灯し、点滅信号Ｓｂがオフの時にＬＥＤ光源１５ａ、１５ｂが消灯することにより、間欠的な投影周期でアライメント指標Ｐａ、Ｐｂを被検眼Ｅに投影する。
【００２４】
観察画像Ａ１〜Ａ５は表示部２０に表示されるフレームＦＲ１〜ＦＲ５の観察画像を示しおり、フレームＦＲ１〜ＦＲ５は同期信号Ｓａの周期によって決定され、撮像素子１３上で電荷を蓄積する期間と一致する。フレームＦＲ１において点滅信号Ｓｂをオンにして指標像Ｐａ’、Ｐｂ’を表示し、フレームＦＲ２で点滅信号Ｓｂをオフにして指標像Ｐａ’、Ｐｂ’を非表示としている。同様に、フレームＦＲ３ではオン、フレームＦＲ４ではオフ、フレームＦＲ５ではオンを繰り返している。システム制御部１８には、この点滅期間が記憶されており、後述する読影時に利用される。なお、アライメントマークＭは全てのフレームＦＲ１〜ＦＲ５において表示してもよいし、指標像Ｐａ’、Ｐｂ’を表示するフレームＦＲ１、ＦＲ３、ＦＲ５においてのみ表示してもよい。
【００２５】
このような制御により、観察時には観察画像Ａ１、Ａ３、Ａ５のように指標像Ｐａ’、Ｐｂ’が表示された観察画像と、観察画像Ａ２、Ａ４のように指標像Ｐａ’、Ｐｂ’が表示されない観察画像とが表示部２０に交互に表示される。従って、観察画像Ａ１〜Ａ５を連続的に見ると、アライメントマークＭ、指標像Ｐａ’、Ｐｂ’と共に、眼底像Ｅｒ’が観察されることになる。同期信号Ｓａは３０Ｈｚの周期で繰り返されているため、操作者は表示部２０に表示される指標像Ｐａ’、Ｐｂ’をほぼ点灯した状態として視認することになる。
【００２６】
なお、被検眼Ｅと眼底カメラとの作動距離が適正でない場合には、指標像Ｐａ’、Ｐｂ’が観察できないか、アライメントマークＭとずれた位置で観察することになるが、この場合に操作者は被検眼Ｅと眼底カメラとの作動距離の調整を行う必要が生ずる。そこで図２に示すように、指標像Ｐａ’、Ｐｂ’をアライメントマークＭに一致するようにして、被検眼Ｅと眼底カメラとの作動距離の調整を行う。
【００２７】
操作者はアライメント及び説明を省略したフォーカス調整が完了すると、被検者に蛍光剤を静注すると同時に、操作スイッチ部２１に設けられたタイマスイッチを操作する。この操作により、システム制御部１８はＦＡＧバリアフィルタ１２を眼底撮影光学系に挿入すると共に、撮影用光源４を点灯し眼底Ｅｒ’の撮像が行われる。なお、撮影用光源４から出射した光束は、ミラー５により反射された後に観察光と同様の経路を経て、撮像素子１３の撮像面に入射する。
【００２８】
眼底撮影光学系にＦＡＧバリアフィルタ１２が挿入され、蛍光剤を静注後に蛍光剤が眼底血管に達するまでの数秒〜数１０秒間は、蛍光眼底像が観察不可能となる。しかし、本実施例１においては、指標制御部１９によりＦＡＧバリアフィルタ１２を通過する波長を有するＬＥＤ光源１５ａ、１５ｂの点滅制御が継続的に行われ、指標像Ｐａ’、Ｐｂ’及びアライメントマークＭが観察可能となる。従って、蛍光剤を静注後に蛍光剤が眼底血管に達するまでの間においても、被検眼Ｅと眼底カメラとの作動距離の調整可能となる。
【００２９】
更に、蛍光剤を静注後に蛍光剤が眼底血管に達した後の眼底像Ｅｒ’は、蛍光剤により造影された眼底血管像となって現われる。従って、アライメント時と同様に、眼底像Ｅｒ’と指標像Ｐａ’、Ｐｂ’及びアライメントマークＭが観察可能となる。
【００３０】
一方、観察時、撮影時の撮像素子１３の出力はシステム制御部１８からの制御によって、画像記録部２２に観察画像の記録が行われる。この記録時においては、指標像Ｐａ’、Ｐｂ’が表示されている観察画像Ａ１、Ａ３、Ａ５も含め、指標像Ｐａ’、Ｐｂ’の投影状態と関連して記録を行う。なお、アライメントマークＭは撮像素子１３の出力データ中には含まれていないので記録されることはないが、指標像Ｐａ’、Ｐｂ’と共に記録するようにしてもよい。
【００３１】
ＦＡＧ撮影が終了すると、操作スイッチ部２１に設けられたタイマスイッチを再び操作し撮影を終了する。この操作によって、システム制御部１８はＦＡＧバリアフィルタ１２を眼底撮影光学系から離脱すると共に、画像記録部２２への画像記録を終了する。ＦＡＧ撮影の終了後の読影に際し、操作スイッチ部２１に設けられた図示しない動画再生スイッチを操作すると、画像記録部２２に記憶された指標像Ｐａ’、Ｐｂ’の投影状態記録に基づいて再生モードとなる。
【００３２】
再生モードでの画像信号処理部１７の処理は、画像記録部２２から送信される観察画像Ａ１、Ａ２、・・・を、再生画像Ｂ１、Ｂ２、・・・として出力する処理を行う。図３に示す指標像Ｐａ’、Ｐｂ’が表示されていない観察画像Ａ２、Ａ４は、対応するタイミングの再生画像Ｂ２、Ｂ４とする。指標像Ｐａ’、Ｐｂ’が表示されている観察画像Ａ１、Ａ３、Ａ５に対応する再生画像Ｂ１、Ｂ３、Ｂ５においては、指標像Ｐａ’、Ｐｂ’が表示されていない再生画像・・・、Ｂ２、Ｂ４を再生画像として使用する。つまり、再生画像Ｂ１、Ｂ３、Ｂ５はそれぞれ直前の再生画像を用いて補完する。
【００３３】
このような制御を行うことにより、指標像Ｐａ’、Ｐｂ’が表示されない再生画像を表示部２０に表示することが可能となる。従って、読影の際に指標像Ｐａ’、Ｐｂ’が眼底像Ｅｒ’に重なって、所望の眼底部位を確認できないという不具合が生ずることはない。
【００３４】
また、ＦＡＧの読影の際に、観察中と同様のフレーム分解能が必要な場合には、再生モードでの画像信号処理部１７の処理をキャンセルするような操作スイッチを、操作スイッチ部２１に設けるような構成とすることもできる。このとき、アライメントマークＭも表示すると、指標像Ｐａ’、Ｐｂ’を確認して撮影中のアライメント状態を確かめることもできる。
【００３５】
なお、説明を省略したフォーカス指標の制御方法についても、アライメント指標と同様の制御が可能であることは云うまでもない。
【実施例２】
【００３６】
実施例２における眼底カメラの構成は実施例１と同様であり、図４は本実施例２のタイミングチャート図を示している。本実施例２では、指標制御部１９で同期信号Ｓａに同期して、点滅信号Ｓｂによる制御を行っている。その制御はフレームＦＲ１の投影期間は点滅信号Ｓｂをオフにし、フレームＦＲ２の投影期間も点滅信号Ｓｂをオフにし、同様にフレームＦＲ３ではオン、フレームＦＲ４ではオン、フレームＦＲ５ではオフとしている。
【００３７】
上述した制御により、観察画像Ｃ３、Ｃ４のように指標像Ｐａ’、Ｐｂ’が表示されたフレームを連続した観察画像と、観察画像Ｃ１、Ｃ２のように指標像Ｐａ’、Ｐｂ’が表示されないフレームを連続した観察画像とが観察される。従って、観察画像Ｃ１〜Ｃ５を連続的に観察すると、表示部２０には点滅する指標像Ｐａ’、Ｐｂ’と共に眼底像Ｅｒ’が観察されることになる。
【００３８】
実施例１では、操作者は表示部２０に表示される指標像Ｐａ’、Ｐｂ’を、ほぼ点灯した状態として確認することができるが、指標像Ｐａ’、Ｐｂ’の表示、非表示のフレームが連続するので、本実施例２では点滅する指標像Ｐａ’、Ｐｂ’として確認される。このような点滅周期とすることにより、操作者には有害光との区別が明確になる。
【００３９】
このように実施例２では、実施例１と同様に被検眼Ｅと眼底カメラとの作動距離が適正な場合には、眼底像Ｅｒ’と共に指標像Ｐａ’、Ｐｂ’を点滅状態で観察可能であり、眼底像Ｅｒ’を観察しながら被検眼Ｅと眼底カメラとの作動距離の確認が可能となる。ＦＡＧの眼底観察と動画記録時の動作については、実施例１と同様である。
【００４０】
システム制御部１８は画像記録部２２に記録された観察画像を再生すると共に、画像信号処理部１７を観察モードから再生モードに切換える。再生モードでの画像信号処理部１７の処理では、指標像Ｐａ’、Ｐｂ’が表示された観察画像Ｃ３、Ｃ４の代りに、このタイミングの再生画像Ｄ３、Ｄ４に、その前のフレームの指標像Ｐａ’、Ｐｂ’が表示されていない再生画像Ｄ２を使用する。
【００４１】
このような制御を行うことにより、ＦＡＧの眼底観察、動画記録時に指標像Ｐａ’、Ｐｂ’が点滅して表示されていた観察画像Ｃ１〜Ｃ５の代りに、表示されない再生画像Ｄ１〜Ｄ５を得ることができる。このようにすることにより、読影の際に指標像Ｐａ’、Ｐｂ’の投影部位が眼底像Ｅｒ’に重って所望の眼底部位を確認できないという不具合はない。
【００４２】
また、実施例１で説明した被検者に蛍光剤を静注する際のタイマスイッチの操作によって、指標像Ｐａ’、Ｐｂ’の点滅方法を変更する方法も考えられる。例えば、タイマスイッチの操作前には、実施例１のように指標像Ｐａ’、Ｐｂ’をほぼ点灯した状態として確認できる制御とし、タイマスイッチの操作後には、本実施例２に示すように、指標像Ｐａ’、Ｐｂ’を点滅した状態として確認できる制御とする方法でもよい。このように、タイマスイッチ操作前後の指標像Ｐａ’、Ｐｂ’の点滅方法の組み合わせには様々な方法が考えられる。
【実施例３】
【００４３】
図５は実施例３におけるタイミングチャート図を示し、指標像Ｐａ’、Ｐｂ’の点灯と消灯の比であるデューティ比を実施例２の２対２から１対３としている。なお、このデューティ比は任意に設定することもできる。
【００４４】
指標制御部１９において、同期信号Ｓａに同期して点滅信号Ｓｂによる制御を行っている。フレームＦＲ１の期間は点滅信号Ｓｂをオフにし、フレームＦＲ２の期間は点滅信号Ｓｂをオンにし、フレームＦＲ３〜ＦＲ５の３フレームではオフとしている。
【００４５】
上述の制御により、観察画像Ｅ１〜Ｅ５は観察画像Ｅ２の指標像Ｐａ’、Ｐｂ’の表示された観察画像と、観察画像Ｅ１、Ｅ３〜Ｅ５の指標像Ｐａ’、Ｐｂ’が表示されない観察画像とから成る。従って、観察画像Ｅ１〜Ｅ５を連続的に観察すると、表示部２０には点滅する指標像Ｐａ’、Ｐｂ’と共に眼底像Ｅｒ’が観察されるが、指標像Ｐａ’、Ｐｂ’の点灯周期は実施例２と異なる。
【００４６】
実施例２と同様に、被検眼Ｅと眼底カメラとの作動距離が適正な場合には、眼底像Ｅｒ’と共に点滅する指標像Ｐａ’、Ｐｂ’が観察可能であり、眼底像Ｅｒ’を観察しながら被検眼Ｅと眼底カメラとの作動距離の確認が可能となる。
【００４７】
再生モードでの画像信号処理部１７の処理では、指標像Ｐａ’、Ｐｂ’が表示された観察画像Ｅ２の代りに、指標像Ｐａ’、Ｐｂ’が表示されていない１フレーム前の再生画像Ｆ１を再生画像Ｆ２として補完する。
【００４８】
このような制御を行うことにより、ＦＡＧの眼底観察、動画記録時に点滅して表示されていた指標像Ｐａ’、Ｐｂ’は再生時には表示されることはない。これにより、読影の際に指標像Ｐａ’、Ｐｂ’が眼底像Ｆ１〜Ｆ５に重なり、所望の眼底部位を確認できないという不具合が生ずることはない。
【符号の説明】
【００４９】
１６  蓄積電荷読取部
１７  画像信号処理部
１８  システム制御部
１９  指標制御部
２０  表示部
２１  操作スイッチ部
２２  画像記録部
Ａ１〜Ａ５、Ｃ１〜Ｃ５、Ｅ１〜Ｅ５  観察画像
Ｂ１〜Ｂ５、Ｄ１〜Ｄ５、Ｆ１〜Ｆ５  再生画像
Ｍ  アライメントマーク
Ｐａ’、Ｐｂ’  指標像
【図１】
2010259530.tif 000003
【図２】
2010259530.tif 000004
【図３】
2010259530.tif 000005
【図４】
2010259530.tif 000006
【図５】
2010259530.tif 000007